(57)【要約】【課題】加熱筒保護カバーの一部を取り外すことによって、加熱筒の中のスクリューの分解清掃の作業を行うことが可能であって、電熱ヒータによって高温になっている加熱筒の露出する部分を小さくすること。【解決手段】第１のボルト固定部を有する第１の面部と、第２のボルト固定部を有する第２の面部と、第１の面部と第２の面部とを接続する接続部を有する第１の加熱筒保護カバー部材１０と、第１のボルト固定部に対応する位置に穴が設けられた第３の面部と、前記第２の面部の第２のボルト固定部に対応する位置に切欠きが設けられた第４の面部とを有する第２の加熱筒保護カバー部材２０とは、脱落防止ボルトと、抜け止め付ボルトとを緩めることにより、第１の加熱筒保護カバー部材１０から第２の加熱筒保護カバー部材２０を取り外すことができる。【選択図】図４
2015054514.tif 000002
【特許請求の範囲】
【請求項１】
加熱筒を覆う射出成形機の加熱筒保護カバーにおいて、
前記加熱筒保護カバーは、第１の加熱筒保護カバー部材と第２の加熱筒保護カバー部材とを備え、
前記第１の加熱筒保護カバー部材は、第１のボルト固定部を有する第１の面部と、該第１の面部に垂直で第２のボルト固定部を有する第２の面部と、第１の面部と第２の面部とを接続する接続部を有し、
前記第２の加熱筒保護カバー部材は、前記第１の面部と平行で前記第１の面部の第１のボルト固定部に対応する位置に穴が設けられた第３の面部と、前記第２の面部に平行で前記第２の面部の第２のボルト固定部に対応する位置に切欠きが設けられた第４の面部とを有し、
前記第３の面部の穴に挿通され、前記第１のボルト固定部にねじ込まれる脱落防止ボルトと、前記第４の面部の切欠きが係合され、前記第２のボルト固定部にねじ込まれる抜け止め付ボルトとにより、第１の加熱筒保護カバー部材に第２の加熱筒保護カバー部材が固定されることを特徴とする射出成形機の加熱筒保護カバー。
【請求項２】
加熱筒を覆う射出成形機の加熱筒保護カバーにおいて、
前記加熱筒保護カバーは、第１の加熱筒保護カバー部材と第２の加熱筒保護カバー部材とを備え、
前記第１の加熱筒保護カバー部材は、第１のボルト固定部を有する第１の面部と、該第１の面部と一定間隔離れて平行で前記第１のボルト固定部と同軸の第１の穴を有する第２の面部と、前記第１の面部と前記第２の面部とを接続する第１の接続部と、前記第１の面部に垂直で第２のボルト固定部を有する第３の面部と、前記第１の面部と前記第３の面部とを接続する第２の接続部とを有し、
前記第２の加熱筒保護カバー部材は、前記第１の面部と平行で前記第１の面部の第１のボルト固定部に対応する位置に第２の穴がある第４の面部と、前記第３の面部に平行で前記第３の面部の第２のボルト固定部に対応する位置に切欠きがある第５の面とを有し、
前記第２の穴と第１の穴に挿通され、前記第１のボルト固定部にねじ込まれる脱落防止ボルトと、前記第４の面部の切欠きが係合され、前記第２のボルト固定部にねじ込まれる抜け止め付ボルトとにより、前記第１の加熱筒保護カバー部材に前記第２の加熱筒保護カバー部材が固定されることを特徴とする射出成形機の加熱筒保護カバー。
【発明の詳細な説明】
【技術分野】
【０００１】
本発明は、射出成形機の加熱筒保護カバーに関する。
【背景技術】
【０００２】
射出成形機の加熱筒には電熱ヒータが設置されており、樹脂を溶融するために必要な熱量を供給している。この熱量の供給は、電熱ヒータと加熱筒の直接接触による熱伝導によって行われて、加熱筒は温められる。このため射出成形機には、高温になる電熱ヒータと加熱筒にオペレータが直接接触することを防止する加熱筒保護カバーが取り付けられている。
【０００３】
特許文献１には、保温カバーとその外側に設けられた遮熱カバーとからなる射出成形機の加熱シリンダの外側を囲む二重カバーが開示されている。この二重カバーは、熱伝達経路の距離を確保するために、加熱シリンダに保温カバーを接合する保温カバー傾斜部に一端が接合された保温カバー取付部よりも、保温カバーに遮熱カバーを接合した遮熱カバー垂直面部に形成した遮熱カバー取付部が低位置に配設されている（段落「００２７、図５参照」）。
【先行技術文献】
【特許文献】
【０００４】
【特許文献１】特開２０１２−６２７６号公報
【発明の概要】
【発明が解決しようとする課題】
【０００５】
加熱筒および加熱筒の中のスクリューの分解清掃、点検保守で加熱筒保護カバーを取り外す際に、加熱筒保護カバー取付け用ボルトを射出成形機内に落として紛失することがある。また、加熱筒保護カバーをすべて取り外さなければ、加熱筒の中のスクリューの分解清掃の作業を行うことができないことがあり、加熱筒保護カバーを取り外した場合は、電熱ヒータによって高温になっている加熱筒が露出して危険である。
【０００６】
特許文献１に開示された二重カバーは、加熱シリンダの熱が遮熱カバーに伝わり難くした構造であり、加熱筒の中のスクリューの分解清掃、点検保守で加熱筒保護カバーを取り外す際の作業性向上を考慮したものではない。
【０００７】
そこで本発明の目的は、上記従来技術の問題点に鑑み、加熱筒保護カバーの全てを取り外さなくても、加熱筒保護カバーの一部を取り外すことによって、加熱筒の中のスクリューの分解清掃の作業を行うことが可能であって、電熱ヒータによって高温になっている加熱筒の露出する部分を小さくし、加熱筒保護カバーを取り外す際に、加熱筒保護カバー取付け用ボルトを射出成形機内に落として紛失することを防止する構造を有する射出成形機の加熱筒保護カバーを提供することである。
【課題を解決するための手段】
【０００８】
本発明は、加熱筒保護カバーの全てを取り外さなくても、加熱筒保護カバーの一部を取り外すことによって、加熱筒の中のスクリューの分解清掃の作業を行うことが可能である構造の加熱筒保護カバーである。また、加熱筒の中のスクリューの分解清掃、点検保守の際に取り外す加熱筒保護カバーの一部の脱着には、脱落防止ボルトと抜け止め付ボルトを活用する。以下、加熱筒の中のスクリューの分解清掃、点検保守の際に取り外さない加熱筒保護カバーを、第１の加熱筒保護カバー部材として、加熱筒の中のスクリューの分解清掃、点検保守の際に取り外す加熱筒保護カバーの一部を第２の加熱筒保護カバー部材とする。
【０００９】
そして、本願の請求項１に係る発明は、加熱筒を覆う射出成形機の加熱筒保護カバーにおいて、前記加熱筒保護カバーは、第１の加熱筒保護カバー部材と第２の加熱筒保護カバー部材とを備え、前記第１の加熱筒保護カバー部材は、第１のボルト固定部を有する第１の面部と、該第１の面部に垂直で第２のボルト固定部を有する第２の面部と、第１の面部と第２の面部とを接続する接続部を有し、前記第２の加熱筒保護カバー部材は、前記第１の面部と平行で前記第１の面部の第１のボルト固定部に対応する位置に穴が設けられた第３の面部と、前記第２の面部に平行で前記第２の面部の第２のボルト固定部に対応する位置に切欠きが設けられた第４の面部とを有し、前記第３の面部の穴に挿通され、前記第１のボルト固定部にねじ込まれる脱落防止ボルトと、前記第４の面部の切欠きが係合され、前記第２のボルト固定部にねじ込まれる抜け止め付ボルトとにより、第１の加熱筒保護カバー部材に第２の加熱筒保護カバー部材が固定されることを特徴とする射出成形機の加熱筒保護カバーである。
【００１０】
請求項２に係る発明は、加熱筒を覆う射出成形機の加熱筒保護カバーにおいて、前記加熱筒保護カバーは、第１の加熱筒保護カバー部材と第２の加熱筒保護カバー部材とを備え、前記第１の加熱筒保護カバー部材は、第１のボルト固定部を有する第１の面部と、該第１の面部と一定間隔離れて平行で前記第１のボルト固定部と同軸の第１の穴を有する第２の面部と、前記第１の面部と前記第２の面部とを接続する第１の接続部と、前記第１の面部に垂直で第２のボルト固定部を有する第３の面部と、前記第１の面部と前記第３の面部とを接続する第２の接続部とを有し、前記第２の加熱筒保護カバー部材は、前記第１の面部と平行で前記第１の面部の第１のボルト固定部に対応する位置に第２の穴がある第４の面部と、前記第３の面部に平行で前記第３の面部の第２のボルト固定部に対応する位置に切欠きがある第５の面とを有し、前記第２の穴と第１の穴に挿通され、前記第１のボルト固定部にねじ込まれる脱落防止ボルトと、前記第４の面部の切欠きが係合され、前記第２のボルト固定部にねじ込まれる抜け止め付ボルトとにより、前記第１の加熱筒保護カバー部材に前記第２の加熱筒保護カバー部材が固定されることを特徴とする射出成形機の加熱筒保護カバーである。
【発明の効果】
【００１１】
本発明により、加熱筒保護カバーの全てを取り外さなくても、加熱筒保護カバーの一部を取り外すことによって、加熱筒の中のスクリューの分解清掃の作業を行うことが可能であって、電熱ヒータによって高温になっている加熱筒の露出する部分を小さくし、加熱筒保護カバーを取り外す際に、加熱筒保護カバー取付け用ボルトを射出成形機内に落として紛失することを防止する構造を有する射出成形機の加熱筒保護カバーを提供できる。
【図面の簡単な説明】
【００１２】
【図１】射出成形機の加熱筒、ノズル、水冷ジャケットについて、加熱筒保護カバーを取り付ける前の状態を示す図である。
【図２】射出成形機の加熱筒に実施形態１で紹介する第１の加熱筒保護カバー部材を取り付けた後の状態を示す図である。
【図３】抜け止め付ボルトの詳細を示す図である。
【図４】第１の加熱筒保護カバー部材に第２の加熱筒保護カバー部材を取り付ける直前の状態を示す図である。
【図５】脱落防止ボルトの詳細を示す図である。
【図６】加熱筒保護カバーの第１の加熱筒保護カバー部材と第２の加熱筒保護カバー部材において、第２の加熱筒保護カバー部材を外すことにより第１の加熱筒保護カバー部材を外さなくても最もノズルに近い加熱筒用の電熱ヒータを取り外すための作業スペースが確保できる構造にした場合を示す図である。
【図７】射出成形機の加熱筒に実施形態２で紹介する第１の加熱筒保護カバー部材を取り付けた後の状態を示す図である。
【図８】実施形態２で紹介する第１の加熱筒保護カバー部材に第２の加熱筒保護カバー部材を取り付ける直前の状態を示す図である。
【図９】首部が長い脱落防止ボルトの詳細を示す図である。
【図１０】実施形態２で紹介する加熱筒保護カバーの第１の加熱筒保護カバー部材と第２の加熱筒保護カバー部材において、第２の加熱筒保護カバー部材を外すことにより第１の加熱筒保護カバー部材を外さなくても最もノズルに近い加熱筒用電熱ヒータを取り外すための作業スペースが確保できる構造にした場合を示す図である。
【発明を実施するための形態】
【００１３】
以下、本発明の各実施形態を図面と共に説明する。
＜実施形態１＞
図１には射出成形機に用いられる加熱筒１、加熱筒１の先端部に装着されるノズル２、加熱筒１の後端から射出成形機を覆うカバーに熱が伝達されるのを防止する水冷ジャケット４が図示されている。そして、図１は、加熱筒保護カバーを取り付ける前の状態を示す図である。
【００１４】
図２は射出成形機の加熱筒に実施形態１で紹介する第１の加熱筒保護カバー部材を取り付けた後の状態を示す図である。図３は抜け止め付ボルト１２を詳細に示す図である。図４は第１の加熱筒保護カバー部材１０に第２の加熱筒保護カバー部材２０を取り付ける直前の状態を示す図である。図５は脱落防止ボルトの詳細を示す図である。図６は加熱筒保護カバーの第１の加熱筒保護カバー部材と第２の加熱筒保護カバー部材において、第２の加熱筒保護カバー部材を外すことにより第１の加熱筒保護カバー部材を外さなくても最もノズルに近い加熱筒用の電熱ヒータを取り外すための作業スペースが確保できる構造にした場合を示す図である。
【００１５】
加熱筒保護カバーは、第１の加熱筒保護カバー部材１０と第２の加熱筒保護カバー部材２０を含んで構成される。図１は加熱筒保護カバーを取り付ける前の加熱筒を示す。図２に加熱筒１に第１の加熱筒保護カバー部材１０を取り付けた状態を示す。本実施形態における第１の加熱筒保護カバー部材１０は、溶接ナット１６を有する第１の面部１３と、第１の面部１３に垂直で溶接ナット１６を有する第２の面部１４と、第１の面部１３と第２の面部１４とを接続する接続部１５とを有する。第１の面部１３と第３の面部１４とを接続する接続部１５は、平板状の部材を直角に折り曲げた二つの平面部からなる。溶接ナット１６は、各面部（第１の面部１３，第２の面部１４）に開けた穴に同軸上に溶接したナットのことである。
【００１６】
第２の面部１４の溶接ナット１６には抜け止め付ボルト１２がねじ込まれている。抜け止め付ボルト１２の詳細を図３に示す。抜け止め付ボルト１２は、二段ねじ１２ａのボルトに抜け止めとなるナット１７を取り付けたものである。
【００１７】
図４に第１の加熱筒保護カバー部材１０に第２の加熱筒保護カバー部材２０を取り付ける直前の状態を示す。第２の加熱筒保護カバー部材２０は、第１の面部１３に平行で、且つ第１の面部１３の溶接ナット１６に対応する位置に穴を有する第３の面部２１と、第２の面部１４に平行で、且つ第１の加熱筒保護カバー部材１０の抜け止め付ボルト１２の頭に係合可能であるＵ字切欠き２４を有する第４の面部２２とを有する。第３の面部２１の穴には、脱落防止ボルト２３が挿通されている。
【００１８】
脱落防止ボルト２３の詳細を図５に示す。脱落防止ボルト２３は、首付ボルトをカバー部材（第２の加熱筒保護カバー部材２０の第３の面部２１）の穴２５に挿通して抜け止めワッシャ２６でカバー部材を挟むように取付けたものである。
【００１９】
第２の加熱筒保護カバー部材２０の取り付け方法は、まず、第１の加熱筒保護カバー部材１０の第２の面部１４に取り付けられている抜け止め付ボルト１２を緩める。次に、図４の矢印方向２７に第２の加熱筒保護カバー部材を移動させて、脱落防止ボルト２３を第１の面の溶接ナット１６に締め込む。最後にＵ字切欠き２４に通した抜け止め付ボルト１２を締め込む。以上により、第２の加熱筒保護カバー部材を第１の加熱筒保護カバー部材に固定することができる。
【００２０】
また、図６に示すように、加熱筒保護カバーの第１の加熱筒保護カバー部材３０と第２の加熱筒保護カバー部材３１は、第２の加熱筒保護カバー部材３１を外すことにより第１の加熱筒保護カバー部材３０を外さなくても最もノズル２に近い加熱筒用の電熱ヒータ３を取り外す作業スペースが確保できる構造にしても良い。なお、矢印方向３４に第２の加熱筒保護カバー部材３１を第１の加熱筒保護カバー部材３０に移動させ、第１の加熱筒保護カバー部材３０と第２の加熱筒保護カバー部材３１とを、ボルト（脱落防止ボルト２３，抜け止め付ボルト１２）によって固定する。
【００２１】
上述した本発明の実施形態において、加熱筒保護カバーの材料の厚さが脱落防止ボルト２３および抜け止め付ボルト１２のねじピッチに対して充分厚い場合は、溶接ナット１６を使用する代わりに、加熱筒保護カバーに雌ネジ溝を直接加工しても良い。また、第１の面部と第２の面部とを接続する接続部に曲面または一つの平面または複数の折り曲げ平面を用いても良い。
【００２２】
＜実施形態２＞
図７は射出成形機の加熱筒に実施形態２で紹介する第１の加熱筒保護カバー部材を取り付けた後の状態を示す図である。図８は実施形態２で紹介する第１の加熱筒保護カバー部材に第２の加熱筒保護カバー部材を取り付ける直前の状態を示す図である。図９は首部が長い脱落防止ボルトの詳細を示す図である。図１０は実施形態２で紹介する加熱筒保護カバーの第１の加熱筒保護カバー部材と第２の加熱筒保護カバー部材において、第２の加熱筒保護カバー部材を外すことにより第１の加熱筒保護カバー部材を外さなくても最もノズルに近い加熱筒用電熱ヒータを取り外すための作業スペースが確保できる構造にした場合を示す図である。
【００２３】
加熱筒保護カバーは、第１の加熱筒保護カバー部材４０と第２の加熱筒保護カバー部材６０を備えている。図７に加熱筒１に加熱筒保護カバーの第１の加熱筒保護カバー部材４０を取り付けた状態を示す。
【００２４】
加熱筒保護カバーの第１の加熱筒保護カバー部材４０は、溶接ナット１６を有する第１の面部４４と、第１の面部４４に平行で、且つ第１の面部４４の溶接ナット１６と同軸上の穴４１を有する第２の面部４６とを有する。板状部材を矩形波状に曲げることにより、第１の面部４４と第２の面部４６が形成されている。第１の面部４４と第２の面部４６とは第１の接続部４５によって一体的に形成されている。溶接ナット１６は、第１の面部４４に開けた穴と同軸上に溶接したナットのことである。
【００２５】
さらに、第１の加熱筒保護カバー部材４０は、第１の面部４４および第２の面部４６に垂直で溶接ナット１６を有する第３の面部４３と、第１の面部４４と第３の面部４３とを接続する第２の接続部４８とを有する。第１の面部４４と第３の面部４３とを接続する第２の接続部４８は、平板状の部材を直角に折り曲げた二つの平面部からなる。第３の面部４３の溶接ナット１６には抜け止め付ボルト１２がねじ込まれている。抜け止め付ボルト１２は、実施形態１で説明した抜け止め付ボルトと同様のものを使用できる。
【００２６】
図８に第１の加熱筒保護カバー部材４０に第２の加熱筒保護カバー部材６０を取り付ける直前の状態を示す。第２の加熱筒保護カバー部材６０は、第１の面部４４および第２の面部４６に平行で、且つ溶接ナット１６に対応する穴６５を有する第４の面部６１と、第３の面部４３に平行で、且つ第１の加熱筒保護カバー部材４０の抜け止め付ボルト１２の頭に係合可能であるＵ字切欠き６４を有する第５の面部６２とを有する。第４の面部の穴には、脱落防止ボルト６３が挿通されている。
【００２７】
図９は脱落防止ボルト６３を詳細に説明する図である。脱落防止ボルト６３は、首部が長い首付ボルトをカバー部材（第４の面部６１）の穴６５に挿通して抜け止めワッシャ６６でカバー部材を挟むように取付けたものである。
【００２８】
第２の加熱筒保護カバー部材６０の取り付け方法は、まず、第１の加熱筒保護カバー部材４０の抜け止め付ボルト１２を緩める。次に、図８の矢印方向６７に第２の加熱筒保護カバー部材６０を移動させて、脱落防止ボルト６３を第２の面部４６の穴４１を通し、第１の面部４４の溶接ナット１６に締め込む。最後にＵ字切欠き６４に通した抜け止め付ボルト１２を締め込む。以上により、第２の加熱筒保護カバー部材６０を第１の加熱筒保護カバー部材４０に固定することができる。
【００２９】
本実施形態では、第１の加熱筒保護カバー部材４０の第１の面部４４に平行で外側に位置する第２の面部４６が第２の加熱筒保護カバー部材６０の第４の面部６１と当たることによって、溶接ナット１６を有する第１の面部４４と第４の面部６１との間隔が保持されているので、首部が長い脱落防止ボルト６３の軸方向の移動に自由度がある。これによって複数箇所ある脱落防止ボルト６３を１本ずつ溶接ナット１６から抜き出したとしても、第１の加熱筒保護カバー部材４０の側面を変形させることは無い。  
【００３０】
また、図１０に示すように、加熱筒保護カバーの第１の加熱筒保護カバー部材８０と第２の加熱筒保護カバー部材８１は、第２の加熱筒保護カバー部材８１を外すことにより第１の加熱筒保護カバー部材８０を外さなくても最もノズル２に近い加熱筒用電熱ヒータ３を取り外す作業スペースが確保できる構造にしても良い。なお、矢印方向８４に第２の加熱筒保護カバー部材８１を第１の加熱筒保護カバー部材３０に移動させ、第１の加熱筒保護カバー部材８０と第２の加熱筒保護カバー部材８１とを、ボルト（脱落防止ボルト２３，抜け止め付ボルト１２）によって固定する。
【００３１】
上述した各実施形態において、加熱筒保護カバーの材料の厚さが脱落防止ボルト２３，６３および抜け止め付ボルト１２のねじピッチに対して充分厚い場合は、溶接ナット１６を使用する代わりに、加熱筒保護カバーに雌ネジ溝を直接加工しても良い。なお、請求項に記載の「ボルト固定部」は、溶接ナット１６を用いる構成、または、加熱筒保護カバーに雌ネジ溝を直接加工した構成を意味する。
【００３２】
また、矩形波状の曲げの代わりに曲面または一つの平面または複数の折り曲げ平面の接続部材を用いて第１の面部と第２の面部を接続しても良い。また、第１の面と第３の面とを接続する接続部材に曲面または一つの平面または複数の折り曲げ平面を用いても良い。
【符号の説明】
【００３３】
１  加熱筒
２  ノズル
３  電熱ヒータ
４  水冷ジャケット
１０  第１の加熱筒保護カバー部材
１２  抜け止め付ボルト
１３  第１の面部
１４  第２の面部
１５  接続部
１６  溶接ナット
１７  ナット
２０  第２の加熱筒保護カバー部材
２１  第３の面部
２２  第４の面部
２３  脱落防止ボルト
２４  Ｕ字切欠き
２５  穴
２６  抜け止めワッシャ
２７  矢印方向
３０  第１の加熱筒保護カバー部材
３１  第２の加熱筒保護カバー部材
３２  Ｕ字切欠き
３４  矢印方向
４０  第１の加熱筒保護カバー部材
４１  穴
４３  第３の面部
４４  第１の面部
４５  第１の接続部
４６  第２の面部
４８  第２の接続部
６０  第２の加熱筒保護カバー部材
６１  第４の面部
６２  第５の面部
６３  脱落防止ボルト
６４  Ｕ字切欠き
６５  穴
６６  抜け止めワッシャ
６７  矢印方向
８０  第１の加熱筒保護カバー部材
８１  第２の加熱筒保護カバー部材
８２  Ｕ字切欠き
８４  矢印方向
【図１】
2015054514.tif 000003
【図２】
2015054514.tif 000004
【図３】
2015054514.tif 000005
【図４】
2015054514.tif 000006
【図５】
2015054514.tif 000007
【図６】
2015054514.tif 000008
【図７】
2015054514.tif 000009
【図８】
2015054514.tif 000010
【図９】
2015054514.tif 000011
【図１０】
2015054514.tif 000012